(57)【特許請求の範囲】
【請求項１】
装置内に装着した記録媒体がオーディオまたはビデオデータの再生に必要な情報ファイルを有しているかどうかを判別する１段階と；
前記情報ファイルがあれば前記記録媒体が対話形記録媒体であると判断する２段階と；
通信網を通して、コンテンツ提供サーバーへ、前記情報ファイルに記録されたコンテンツのバージョン情報をディスクバージョン情報とともに送信して、前記コンテンツ提供サーバーに対し、前記ディスクバージョン情報で示されるディスクである前記対話形記録媒体に記録されている、前記コンテンツバージョン情報で示されるコンテンツのバージョンより最新のバージョンのコンテンツのみをダウンロード要求する３段階と；
前記通信網を通して、前記コンテンツ提供サーバーから、前記ダウンロード要求に応じてダウンロードされた前記コンテンツバージョン情報で示されるコンテンツのバージョンより最新のバージョンのコンテンツを受信する４段階と；
前記サーバーから受信したコンテンツと、前記対話形記録媒体から読み出したオーディオまたはビデオデータとをプレゼンテーション時に互いに同期させてプレゼンテーションする５段階と
を備えることを特徴とする通信網を利用した対話形記録媒体の再生方法。
【請求項２】
前記２段階において対話形記録媒体であると判断されると、前記対話形記録媒体に収録されたファイルの情報を参照して対話形記録媒体の再生に必要なシステム環境を設定する過程をさらに実行することを特徴とする請求項１に記載の通信網を利用した対話形記録媒体の再生方法。
【請求項３】
前記４段階で受信されるコンテンツは、対話形記録媒体の再生に必要なシステム設定情報を含む第１ファイルと、前記対話形記録媒体に収録されているビデオまたはオーディオデータと前記サーバーから受信したコンテンツとを互いに同期させてプレゼンテーションするための時間情報を有する第２ファイルを含むことを特徴とする請求項１に記載の通信網を利用した対話形記録媒体の再生方法。
【請求項４】
装置内に装着した記録媒体がオーディオまたはビデオデータの再生に必要な情報ファイルを有しているか否かを判別する手段と；
前記情報ファイルを有していれば前記記録媒体が対話形記録媒体であると判断する判断手段と；
通信網を通して、コンテンツ提供サーバーへ、前記情報ファイルに記録されたコンテンツのバージョン情報をディスクバージョン情報とともに送信して、前記コンテンツ提供サーバーに対し、前記ディスクバージョン情報で示されるディスクである前記対話形記録媒体に記録されている、前記コンテンツバージョン情報で示されるコンテンツのバージョンより最新のバージョンのコンテンツのみをダウンロード要求するダウンロード要求手段と；
前記通信網を通して、前記コンテンツ提供サーバーから、前記ダウンロード要求手段の要求に応じてダウンロードされた前記コンテンツバージョン情報で示されるコンテンツのバージョンより最新のバージョンのコンテンツを受信する受信手段と；
前記サーバーから受信したコンテンツと、前記対話形記録媒体から読み出したオーディオまたはビデオデータとをプレゼンテーション時に互いに同期させてプレゼンテーションする手段と
を備えることを特徴とする通信網を利用した対話形記録媒体の再生装置。
【請求項５】
前記判断手段が対話形記録媒体であると判断すると、前記対話形記録媒体に収録されたファイルの情報を参照して対話形記録媒体の再生に必要なシステム環境を設定することを特徴とする請求項４に記載の通信網を利用した対話形記録媒体の再生装置。
【請求項６】
前記受信手段で受信されるコンテンツは、対話形記録媒体の再生に必要なシステム設定情報を含む第１ファイルと、前記対話形記録媒体に収録されているビデオまたはオーディオデータと前記サーバーから受信したコンテンツとを互いに同期させてプレゼンテーションするための時間情報を有する第２ファイルを含むことを特徴とする請求項４に記載の通信網を利用した対話形記録媒体の再生装置。
【発明の詳細な説明】
【０００１】
【発明の属する技術分野】
本発明は、対話形ＤＶＤ（Ｉ−ＤＶＤ：Interactive Digital Versatile Disc）のような光ディスクのＡ／Ｖデータと、通信網を通して連結接続されたコンテンツ提供（ＣＰ：Contents Provider）サーバーから提供される多様なコンテンツ情報を連係して再生出力する対話形光ディスクの再生方法に関する。
【０００２】
【従来の技術】
現在、大容量のデジタルデータを記録することができる高密度光ディスク、例えばＤＶＤが広く普及しているが、ＤＶＤは、デジタル高音質のオーディオデータはもちろん高画質の動映像データを長時間記録することができる大容量記録媒体である。
【０００３】
ＤＶＤには、動映像データのようなデジタルデータストリームが記録される領域と、動映像データの再生制御のために必要なナビゲーションデータが記録されるナビゲーションデータ記録領域がある。
【０００４】
したがって、一般的なＤＶＤ再生装置では、ＤＶＤが装置内に装着されると、ナビゲーションデータ記録領域に記録されたナビゲーションデータをまず読み出して、装置内のメモリに格納した後、そのナビゲーションデータを利用して、データ記録領域に記録された動映像データを再生する。
【０００５】
それゆえ、ＤＶＤに記録された長時間の高画質の動映像をＤＶＤ再生装置で再生することによって、収録された映画などを視聴することができる。
【０００６】
最近では、ＤＶＤに収録されたＡ／Ｖデータの再生と関連した情報（制御または付加情報）を‘ｈｔｍｌ’などのフォーマットのファイルでＤＶＤ上に付加的に記録して、これによって、ユーザーのインタラックティブな要請によるＡ／Ｖデータの再生ができるようにする対話形ＤＶＤ（Ｉ−ＤＶＤ）に対する具体化規格方案が関連業界で論議されている。このような対話形ＤＶＤが商用化されると、デジタル記録媒体を通してコンテンツがより普及するであろう。
【０００７】
しかし、現在論議中である対話形ＤＶＤの暫定規格では、記録媒体に収録されたＡ／Ｖデータの再生と関連した情報ファイルが記録媒体と一緒に提供されるので、収録されたＡ／Ｖデータと関連したより新しい多様なコンテンツや新しい出力方法などを確認したり利用することができない。対話形ＤＶＤの普及をより広めるためには、収録されたＡ／Ｖデータと一緒に既存のコンテンツや情報より新しいコンテンツや情報などを利用できる方法を確立することが必要である。
【０００８】
【発明が解決しようとする課題】
本発明は前記のような実情を勘案して創作されたものであり、対話形ＤＶＤのような光ディスクのＡ／Ｖデータと関連した多様なコンテンツ情報を、通信網を通して遠隔地のサーバーから提供を受けて、これを利用してディスクに収録されたＡ／Ｖデータを再生出力する方法を提供することが目的である。
【０００９】
【課題を解決するための手段】
前記のような目的を達成するための本発明によるインターネットを利用した対話形光ディスク再生方法は、ディスク装置内に装着した光ディスクの類型が、対話形（Ｉｎｔｅｒａｃｔｉｖｅ）光ディスクであるかを判別して、対話形ディスクならば、通信網を通して、コンテンツ提供サーバーから前記対話形光ディスクのバージョンで収容することができる最新コンテンツのバージョンに関連したファイルを受信した次に、受信されたファイルを利用して、前記対話形光ディスクから読み出して再生するオーディオまたはビデオデータと、前記サーバーから受信されるコンテンツ情報を相互同期させてプレゼンテーションする３段階を含んでなされることを特徴とする。
【００１０】
【発明の実施の形態】
以下、本発明による通信網を利用した対話形光ディスク再生方法に対する望ましい実施形態に対して、添付された図面を参照しながら詳細に説明する。
【００１１】
図１は、本発明による通信網を利用した対話形光ディスク再生方法が適用される光ディスク装置の構成を図示したものである。本光ディスク装置は、例えば対話形ＤＶＤ  １０から読み出されるデータをデコーディングしてＡ／Ｖデータとして出力するデコーダ１６と、デコーディングされたデジタルＡ／Ｖデータを処理してオーディオ及びビデオ信号として出力するためのプレゼンテーションエンジン１７を備えている。さらに、本実施形態は、対話形ＤＶＤ  １０に記録された情報ファイル、セットアップファイル、そして同期用ファイルなどを検索読み出すためのファイルシステム１１と、インターネット検索機能を備えた対話形ディスクプレゼンテーション用環境設定のためのプログラムであるウェブブラウザ１２と、インターネット接続のためのインターネットインタフェース１３、そしてユーザー要請によって、各構成手段を作動制御させるための広い意味でのナビゲーター１４と、対話形ＤＶＤ  １０から読み出されたり、またはインターネットを通してダウンロードされる各種ファイル及びコンテンツ情報を格納するためのストレージ１５を備えている。ストレージ１５としてはフラッシュメモリなどを用いることができる。ナビゲーター１４とファイルシステム１１、ウェブブラウザ１２は、それに該当する固有の機能及び作動を実施するプログラムを論理的構成手段として各々表現したものであって、一つのハードウェア素子に実装することもできる。
【００１２】
対話形ＤＶＤ  １０のディレクトリの構造は、図２に示したとおりである。ルートディレクトリには、対話形ＤＶＤに収録されたＡ／Ｖデータの再生動作のための必要な情報ファイル（ＥｎＤＶＤ．Ｉｎｆ）、再生のための初期セットアップ用ファイル（Ｉｎｄｅｘ．hｔｍｌ）、そして属性が異なるデータ間の同期のための同期ファイル（ｉｎｄｅｘ．ｓｙｎ）などを含んでいる。その下部ディレクトリには、ビデオデータを含むビデオタイトルセット（Ｖｉｄｅｏ＿ＴＳ）ディレクトリ、オーディオデータを含むオーディオタイトルセット（Ａｕｄｉｏ＿ＴＳ）ディレクトリ、そして附加的なビデオ／オーディオ機能のためのデータを含むファイル（hｔｍｌファイル、ｉｍａｇｅファイル、サウンドファイル等）を含むエンハンストビデオタイトルセット（ＥＮＶ＿ＴＳ：Ｅｎhａｎｃｅｄ  Ｖｉｄｅｏ＿ＴＳ）ディレクトリが含まれる。
【００１３】
そして、ルートディレクトリに記録される‘ＥｎＤＶＤ．Ｉｎｆ’ファイルには、対話形ＤＶＤに対するディスクバージョン情報と、コンテンツのバージョン情報、コンテンツ製造社情報、そして対話形ＤＶＤから読み出して再生されるＡ／Ｖデータと関連した多様なコンテンツ情報をインターネットを通して提供するコンテンツ提供サーバー（ＣＰ  Ｓｅｒｖｅｒ）に対するＵＲＬ情報を含めて記録される。
【００１４】
また、ルートディレクトリに記録されるセットアップ用ファイル‘Ｉｎｄｅｘ．hｔｍｌ’ファイルには、ウェブブラウザ１２及び対話形ＤＶＤ再生のための必須環境設定のためのセットアップ情報を含めて記録される。同期ファイル‘Ｉｎｄｅｘ．ｓｙｎ’ファイルには、対話形ＤＶＤ  １０から読み出して再生されるオーディオ及びビデオデータ、そしてコンテンツ情報、例えばhｔｍｌ形態のページを相互同期させて再生出力するための時間情報（タイムスタンプ）が記録されている。
【００１５】
エンハンストビデオタイトルセット（ＥＮＶ＿ＴＳ）ディレクトリには、対話形ＤＶＤに記録されたＡ／Ｖデータと連係して再生または出力されるコンテンツ情報が記録されているが、このコンテンツ情報は、hｔｍｌフォーマットのファイル、イメージファイル、サウンドファイル等で構成されている。
【００１６】
図１の光ディスク装置に対話形ＤＶＤ  １０が装着されると、ルートディレクトリに記録された情報ファイル‘ＥｎＤＶＤ．Ｉｎｆ’がまず検索されて、光ディスクの類型を対話形ＤＶＤと判別し、かつそのバージョンを確認した後、セットアップファイル‘Ｉｎｄｅｘ．hｔｍｌ’をローディングさせて、対話形ＤＶＤ再生に必要なブラウザ及びシステム環境を設定する。必要な場合、情報ファイル‘ＥｎＤＶＤ．Ｉｎｆ’に記録されたＵＲＬ情報を読み出す。
【００１７】
そして、ＵＲＬ情報に対応するコンテンツ提供サーバーとインターネットを通して連結接続した後、コンテンツ提供サーバーとのインタフェースを通して、確認された対話形ＤＶＤのディスクバージョンで収容することができる最新バージョンのセットアップファイル、及び／または同期ファイルを受信して、それに対応するシステム環境を再設定するようになる。
【００１８】
以後、同期ファイルに記録された時間情報に基づいて、コンテンツ提供サーバーからリアルタイムで伝送される最新バージョンのコンテンツ情報を、対話形光ディスクから読み出して再生されるＡ／Ｖデータと同期させて再生出力する作動を実施する。以下、これに対して詳細に説明する。
【００１９】
図３は、本発明による通信網を利用した対話形光ディスク再生方法の一実施形態の作動流れ図を示したものであってこれを参照して図１の光ディスク装置の作動を説明する。
【００２０】
装置内に光ディスクが装着されると（Ｓ１０）、光ディスク装置内のナビゲーター１４がファイルシステム１１を駆動制御して、ルートディレクトリで‘ＥｎＤＶＤ．Ｉｎｆ’ファイルを検索して光ディスクの類型が一般ＤＶＤであるかまたは対話形ＤＶＤであるかを確認判別する。それが検索されると光ディスクの類型を対話形ＤＶＤと判別し、検索されないと一般ＤＶＤと判別する（Ｓ１１）。
【００２１】
もしも、装着されたディスクが一般ＤＶＤの場合、ナビゲーター１４は、ユーザーの要請によって、一般ＤＶＤモードで再生動作を実施させる（Ｓ１２）。対話形ＤＶＤの場合には、ファイルシステム１１を作動制御して、ルートディレクトリに記録された‘Ｉｎｄｅｘ．hｔｍｌ’ファイルと‘Ｉｎｄｅｘ．ｓｙｎ’ファイルをストレージ１５にローディングさせる（Ｓ１３）。
【００２２】
そして、ローディングされた‘Ｉｎｄｅｘ．hｔｍｌ’ファイルを解析して、その解析された内容によってインターネット検索及びＡ／Ｖデータプレゼンテーション用フォーマットを設定するウェブブラウザ１２の変数とシステム環境を設定する（Ｓ１４）。このとき必要なら、インタフェースを通してユーザーからの入力を受信する。
【００２３】
システム環境を設定した後、ユーザーがインターネット接続を要求しているかを確認する（Ｓ１５）。インターネット接続が要求されない場合には、設定されたシステム環境を維持した状態で、対話形ＤＶＤ  １０のエンハンストビデオタイトルセット（ＥＮＶ＿ＴＳ）ディレクトリに記録されているコンテンツ情報を、同期ファイルである‘Ｉｎｄｅｘ．ｓｙｎ’の時間情報を参照して、再生Ａ／Ｖデータと一緒に同期させて再生出力する、ＲＯＭベースの再生動作を実施する（Ｓ１６）。
【００２４】
もしも、ユーザーからインターネット接続が要求されると、すなわち前記対話形ＤＶＤ  １０に既に記録されたコンテンツ情報より新しい最新バージョンのコンテンツ情報を、インターネットを通してダウンロードして用いることをユーザーが選択指定する場合（Ｓ１５）、ナビゲーター１４は、ルートディレクトリに記録された‘ＥｎＤＶＤ．Ｉｎｆ’ファイルのＵＲＬ情報を読んで、ウェブブラウザ１２とインターネットインタフェース１３を駆動制御して、ＵＲＬ情報に対応するコンテンツ提供サーバーと連結接続する。
【００２５】
接続されると、‘ＥｎＤＶＤ．Ｉｎｆ’ファイルに記録されたディスクバージョン情報を、コンテンツ提供サーバーに伝送すると同時に、そのディスクバージョンで収容することができる最新コンテンツのバージョンのセットアップファイルと同期ファイルを伝送することを要求する（Ｓ１７）。
【００２６】
コンテンツ提供サーバーは、ディスクバージョンに連係された最新コンテンツのバージョンの‘Ｉｎｄｅｘ．hｔｍｌ’ファイルと‘Ｉｎｄｅｘ．ｓｙｎ’ファイルを検索読み出して、インターネットを通して伝送する。
【００２７】
ファイルデータを受信する光ディスク装置のナビゲーター１４は、コンテンツ提供サーバーから受信された最新バージョンの‘Ｉｎｄｅｘ．hｔｍｌ’ファイルを解析して、Ａ／Ｖデータ再生に必要なシステム環境を再設定して、Ｉｎｄｅｘ．ｓｙｎファイルをストレージ１６に格納する（Ｓ１８）。
【００２８】
必要ならば、ナビゲーター１４は、前記のような過程を通してコンテンツ提供サーバーから伝送受信されるファイルが、ルートディレクトリに既に記録されたファイルのバージョンより最新バージョンであるかを確認して、最新バージョンの場合にのみ前の作動を実施する。
【００２９】
また、ナビゲーター１４は、‘ＥｎＤＶＤ．Ｉｎｆ’ファイルに記録されたコンテンツのバージョン情報をディスクバージョン情報と一緒にコンテンツ提供サーバーに伝送することによって、そのコンテンツのバージョンより最新コンテンツのバージョンに対するセットアップファイルと同期ファイルが、コンテンツ提供サーバーに存在する場合に限って、そのファイルをダウンロードさせる場合もある。
【００３０】
その後、ナビゲーター１４は、ユーザーの要請によって、対話形ＤＶＤに記録されたデジタルＡ／Ｖデータストリームを映像及びオーディオ信号としてデコーディング出力する一連の再生作動を実施する（Ｓ１９）。その際、新しく受信された‘Ｉｎｄｅｘ．ｓｙｎ’ファイルに記録された時間情報に基づいて、現在同期出力されるＡ／Ｖデータの外に、これと関連したコンテンツ情報を、コンテンツ提供サーバーとのインタフェースを通してリアルタイムで要求受信した後、そのコンテンツ情報を再生出力されるＡ／Ｖデータと連係出力させなければならない時点で一緒にプレゼンテーションする再生動作を実施する（Ｓ２０）。インターネットにおける伝送遅延を勘案して、出力されるＡ／Ｖデータと連係出力されるコンテンツ情報の要請時点は出力しなければならない時点より十分に前もってサーバーに要求する。
【００３１】
コンテンツ情報は、必要時にリアルタイムで提供される代わりに、対話形ディスクの再生前に一括して一度に光ディスク装置に提供するようにしてもよい。
【００３２】
前の説明では、最新バージョンのコンテンツ関連ファイルをユーザーのインターネット要請時に受信したが、ユーザーの要請がなくても自動的に受信するようにしてもよい。すなわち、システム環境設定を終了した後（Ｓ１４）、ＥｎＤＶＤ．ＩｎｆファイルのＵＲＬ情報を参照してサーバーと接続要請し、予め定めた所定時間内に接続されないとＳ１６のステップを実施して、接続されると前述した最新バージョンのファイルダウンロード及びこれに基づいた再生動作（Ｓ１７〜Ｓ２０）を実施するようにしてもよい。
【００３３】
一方、Ａ／Ｖデータが出力されるディスプレー画面は、前の‘Ｉｎｄｅｘ．hｔｍｌ’による設定によって決定されるが、この設定は、ユーザーが多様に選択して指定することができる。例えば図４に示したように、ユーザーが‘ビューモード’を‘再生器ビューモード’に選択指定すると、一般的なＤＶＤプレーヤーにおける再生画面（４０１）を出力し、ユーザーが‘ビューモード’を‘コンテンツビューモード’に選択指定すると、ユーザー選択メニューを含んで表示される画面（４０２）を出力するようにしてもよい。この出力画面を通してユーザーはインターネットの接続を要請することができる。
【００３４】
そして、本実施形態では、コンテンツビューモードでユーザーが‘全体スクリーンモード’を選択指定すると、対話形ＤＶＤから読み出して再生されるピクチャデータが全体スクリーン（４０３）でディスプレーされ、ユーザーが‘エンハンストモード’を選択指定した場合には、対話形ＤＶＤから読み出して再生されるピクチャデータと、コンテンツ情報が一緒に画面上に分割されてディスプレー（４０４）されるようになっている。
【００３５】
以上、前述した本発明の望ましい実施形態は、例示の目的のために開示されたものであって、当業者ならば添付された特許請求範囲に開示された本発明の技術的思想とその技術的範囲内で、多様な他の実施形態を改良、変更、代替または付加などが可能である。
【００３６】
以下実施例を具体的に記述する。
装置内に装着した光ディスクが対話形光ディスクであるかどうかを判別する１段階と、通信網を通して、コンテンツ提供サーバーから前記対話形光ディスクのバージョンで収容することができる最新コンテンツのバージョンに関連したファイルを受信する２段階と、前記受信されたファイルを利用して、前記対話形光ディスクから読み出して再生されるオーディオまたはビデオデータと、前記サーバーから受信されるコンテンツ情報を相互同期させてプレゼンテーションする３段階とを備える。
【００３７】
前記１段階は、前記対話形光ディスクに収録されたファイルの情報を参照して対話形ディスク再生に必要なシステム環境を設定する過程をさらに実行する。
前記２段階で受信されるファイルは、対話形光ディスクの再生に必要なシステム設定情報を含む第１ファイルと、前記対話形光ディスクに収録されているビデオ及びオーディオ、そしてコンテンツを相互同期させるための時間情報を有する第２ファイルを含む。
前記３段階は、前記第１ファイルに記録された情報を参照して、ビデオ／オーディオ／コンテンツの表示形態を含む、データ再生のためのシステム環境を再設定する過程をさらに実行する。
【００３８】
前記コンテンツ情報は、前記コンテンツ提供サーバーから、ビデオ／オーディオデータと同期させて出力される時点前に受信される。
前記１段階は、ディスクのバージョンと、コンテンツのバージョン、そして特定コンテンツ提供サーバーに対するＵＲＬ情報を含めて記録された情報ファイルが光ディスクに記録されている場合に、対話形光ディスクと判別する。
前記２段階は、前記情報ファイルに記録されているアドレス情報を参照して、前記コンテンツ提供サーバーと連結した後、前記情報ファイルに記録されたディスクバージョンを読み出して伝送して、それによって前記特定コンテンツ提供サーバーから最新コンテンツに関連したファイルを受信する。
【００３９】
前記３段階は、前記コンテンツ提供サーバーから受信されるファイルが、前記対話形光ディスクに記録された対応ファイルより最新バージョンの場合、受信されたファイルを利用する。
前記３段階は、前記コンテンツ情報と、前記オーディオまたはビデオデータを、ユーザー選択によって一緒に出力したり、またはいずれか一つのみを選択出力する。
前記コンテンツ情報は、hｔｍｌフォーマットのファイル、サウンドファイル、またはイメージファイルで構成される。
【００４０】
【発明の効果】
前記のように構成される本発明によるインターネットを利用した対話形光ディスク再生方法は、ユーザーが常にディスクに収録されたＡ／Ｖデータと関連した最新のコンテンツを視聴できるので、ディスクに収録された動映像をより楽しむことができる。
【図面の簡単な説明】
【図１】本発明による通信網を利用した対話形光ディスク再生方法が適用される光ディスク装置に対する構成を図示したものであって、
【図２】本発明による再生方法のための対話形ＤＶＤのディレクトリ構造を概略的に図示したものであって、
【図３】本発明による通信網を利用した対話形光ディスク再生方法に対する作動流れ図を示したものであって、
【図４】本発明による通信網を利用した対話形光ディスク再生方法で選択されるディスプレー画面の例を図示したものである。
【符号の説明】
１０：対話形ＤＶＤ
１１：ファイルシステム
１２：ウェブブラウザ
１３：インターネットインタフェース
１４：ナビゲーター
１５：ストレージ
１６：デコーダ
１７：プレゼンテーションエンジン
【図１】
0004160361.tif 000002
【図２】
0004160361.tif 000003
【図３】
0004160361.tif 000004
【図４】
0004160361.tif 000005